(57)【要約】【課題】排水口に特別な加工を施すことなく、既設の排水口部にも簡単且つ確実に取り付け可能な排水口用化粧具を提供する。【解決手段】排水口Ｃの排水口部Ｃ１を隠蔽する化粧蓋体１を設け、該化粧蓋体１の裏面には前記排水口Ｃに嵌着可能な弾性脚部２を設け、且つ、この弾性脚部２の一部を外方に向けて突出させた押圧部３を形成したことを特徴とする。【選択図】図１
2007138541.tif 000002
【特許請求の範囲】
【請求項１】
排水口の排水口部を隠蔽する化粧蓋体を設け、該化粧蓋体の裏面には前記排水口に嵌着可能な弾性脚部を設け、且つ、この弾性脚部の一部を外方に向けて突出させた押圧部を形成したことを特徴とする排水口用化粧具。
【請求項２】
請求項１において、
押圧部を複数形成したことを特徴とする排水口用化粧具。
【請求項３】
請求項１又は２の何れかにおいて、
弾性脚部の基部に位置決めストッパー部を形成したことを特徴とする排水口用化粧具。
【請求項４】
請求項１〜３の何れかにおいて、
弾性脚部の押圧部の外面には、シリコン樹脂・ゴム材等の粘着材を設け、この粘着材を介して、前記弾性脚部が排水口部に嵌着されることを特徴とする排水口用化粧具。
【発明の詳細な説明】
【技術分野】
【０００１】
本発明は、擁壁・屋上等に設置されている排水口の排水口部の美観を向上すると共に、排水口部に特別な加工を施すことなく、簡単且つ確実に取り付け可能な排水口用化粧具に関する。
【背景技術】
【０００２】
従来、擁壁・屋上等に設置されている排水口（排水管も含む）の排水口部は、開口したままになっており、その一方では、擁壁・屋上等は非常にデザイン化されている。
【０００３】
そのため、開口したままの排水口部は、周囲のデザイン化された擁壁・屋上等にそぐわないため、前記排出口部を化粧蓋で被覆する事によって、擁壁・屋上等の美観を高めるための擁壁排水口の化粧蓋が近年提案されている。
【０００４】
この擁壁排水口の化粧蓋においては、排水口部への挿入部は弾性を有し、排水口の内壁面に形成した穴に爪にて係止固定し、前記蓋の表面にはプランターや化粧材を固定可能にしたものである（例えば、特許文献１参照。）。
【特許文献１】特願平３−２６００２８号公報
【発明の開示】
【発明が解決しようとする課題】
【０００５】
しかしながら、従来の化粧蓋は、弾性を有する挿入部を、排水口の内壁面に形成した穴に爪で係止固定する構造であるため、外れ難いという点では優れているが、その取り付けに際して、前記排水口の内壁面に係止用の穴を形成する特別な加工や手間を要するため、既設された排水口部には簡単に取り付けできない問題がある。
【０００６】
また、前記排水口の内壁面に係止用の穴を形成すれば、この穴にゴミ等が詰まり易く、スムーズな排水処理ができないという問題もある。
【０００７】
本発明は、かかる課題を解決することを目的とするもので、排水口に特別な加工を施すことなく、既設の排水口部にも簡単且つ確実に取り付け可能な排水口用化粧具を提供する。
【課題を解決するための手段】
【０００８】
請求項１に係る排水口用化粧具は、排水口の排水口部を隠蔽する化粧蓋体を設け、該化粧蓋体の裏面には前記排水口に嵌着可能な弾性脚部を設け、且つ、この弾性脚部の一部を外方に向けて突出させた押圧部を形成したことを特徴とする。
【０００９】
請求項２に係る排水口用化粧具は、請求項１において、押圧部を複数形成したことを特徴とする。
【００１０】
請求項３に係る排水口用化粧具は、請求項１又は２の何れかにおいて、弾性脚部の基部に位置決めストッパー部を形成したことを特徴とする。
【００１１】
請求項４に係る排水口用化粧具は、請求項１〜３の何れかにおいて、弾性脚部の押圧部の外面には、シリコン樹脂・ゴム材等の粘着材を設け、この粘着材を介して、前記弾性脚部が排水口部に嵌着されることを特徴とする。
【発明の効果】
【００１２】
本発明によれば、次のような効果がある。
請求項１に係る排水口用化粧具によれば、排水口の排水口部に弾性脚部を挿入するだけで、排水口部の表面側を被覆する化粧蓋体を簡単に設置して、排水口部の美観を向上できると共に、押圧部が排水口の内壁面に圧着して固定されるので、抜け外れも防止でき、特別な加工することなく既設の排水口部に対して、簡単且つ確実に取り付けできる。
【００１３】
請求項２に係る排水口用化粧具によれば、押圧部を複数形成することで、既設の排水口部に対して、弾性脚部を確実に取り付けできる。
【００１４】
請求項３に係る排水口用化粧具によれば、位置決めストッパー部を形成しているので、排水口部と化粧蓋体の間に排水空間を形成し、排水をスムーズに行うことができる。
【００１５】
請求項４に係る排水口用化粧具によれば、粘着材が弾性脚部の押圧部と排水口部との間に確実・効果的に介在されるので、弾性脚部を排水口部に対して更に確実に取り付けできる。
【発明を実施するための最良の形態】
【００１６】
以下、本発明に係る排水口用化粧具を図面とともに説明する。
【実施例１】
【００１７】
図１は、本発明に係る排水口用化粧具Ａの一実施例を示す使用状態の斜視図であり、図２は、図１で示された排水口用化粧具Ａの取り付け状態を概略した縦断面図である。
【００１８】
この排水口用化粧具Ａは、擁壁・屋上等Ｂに配設された排水口Ｃの排水口部Ｃ１を隠蔽する化粧蓋体１を設け、この化粧蓋体１の裏面には排水口部Ｃ１に嵌着可能な弾性脚部２を設け、且つ、この弾性脚部２の一部を外方に向けて突出させた押圧部３を形成してなる。
【００１９】
化粧蓋体１は、排水口部Ｃ１を隠蔽できる大きさであれば良く、また、化粧蓋体１のデザインは、擁壁・屋上等Ｂに応じて適宜形成される。本実施例では、港の近傍に構築された擁壁Ｂに、船の舵をデザインした化粧蓋体１を設けることで、意匠性を高めたものであるが、そのデザインは様々である。
【００２０】
また、化粧蓋体１は、合成樹脂製、陶器製、金属製等、様々な素材で形成することができ、その着色も多岐に及ぶため、ここでの説明は省略する。
【００２１】
このように形成した化粧蓋体１の裏面には、弾性脚部２の基端が固定されてなる。
【００２２】
本実施例の弾性脚部２は、帯状に形成された４枚のバネ片を、化粧蓋体１の裏面から後方に向けて突設したものを例示しているが、この形状に限定されるものではなく、例えば、筒状に形成された弾性脚部（不図示）の適所に、先端から基端に向けて複数のスリット溝（不図示）が形成されたもの、或いは、弾性脚部２が単なる線状のものであっても構わない。
【００２３】
このような何れの弾性脚部２であっても、弾性脚部２には、その一部を外方に向けて突出させた押圧部３を形成してなる。
【００２４】
この押圧部３は、排水口Ｃの内壁面に圧着する程度の大きさに形成されていれば良く、図例のように、弾性脚部２の一部を外方に湾曲させて形成したり、或いは、図４（ａ）で示すように、弾性脚部２の一部を外方に折り曲げて形成したり、又は、図４（ｂ）で示すように、弾性脚部２の一部を外方に切り起して形成しても良く、要は、弾性脚部２の押圧部３が排水口Ｃの内壁面に圧着できるものであれば構わない。
【００２５】
このように構成した本発明に係る排水口用化粧具Ａは、図１で示すように、擁壁・屋上等Ｂに配設された排水口Ｃの排水口部Ｃ１に向けて、弾性脚部２の押圧部３を、その弾性力に抗して内側に押さえながら、の先端側から排水口部Ｃ１に嵌め入れたうえで、化粧蓋体１の位置を所望の位置に合わせた後、弾性脚部２の押圧部３を離せば、押圧部３が、その弾性復元力によって、排水口Ｃの内壁面に圧着して固定する。
【００２６】
なお、化粧蓋体１の位置は、排水口部Ｃ１からの排水を妨げないように、数センチ乃至数十センチ程度の間隔をあけて設置するのが望ましい。
【００２７】
このように、本発明に係る排水口用化粧具Ａによれば、排水口Ｃの排水口部Ｃ１に弾性脚部２を挿入するだけで、排水口部Ｃ１の表面側を被覆する化粧蓋体１を簡単に設置して、排水口部Ｃ１の美観を向上できると共に、押圧部３が排水口Ｃの内壁面に圧着して固定されるので、抜け外れも防止でき、特別な加工することなく既設の排水口部Ｃ１に対して、簡単且つ確実に取り付けできる。
【実施例２】
【００２８】
図３（ａ）、（ｂ）及び図４（ａ）〜（ｃ）は、本発明に係る排水口用化粧具Ａの他の実施例の取り付け状態を概略した縦断面図である。
【００２９】
ここで、図１、２と共通する部位には同一の番号を付し、その説明は省略することとし、以下では、各実施例の特徴についてのみ説明する。
【００３０】
図３（ａ）に示す排水口用化粧具Ａでは、弾性脚部２の押圧部３を複数形成したことを特徴にしている。このように押圧部３を複数形成することで、複数の押圧部３が排水口Ｃの内壁面に圧着して固定するので、排水口部Ｃに対して、弾性脚部２を確実に取り付けできる。
【００３１】
図３（ｂ）に示す排水口用化粧具Ａでは、弾性脚部２の基部に位置決めストッパー部４を形成したことを特徴にしている。
【００３２】
位置決めストッパー部４とは、排水口Ｃの排水口部Ｃ１に弾性脚部２を挿入した際、化粧蓋体１と排水口部Ｃ１との間に空間を形成して、弾性脚部２のそれ以上の挿入が規制されるものを意味する。
【００３３】
ここでは、弾性脚部２の基端を外方に折り曲げ、排水口部Ｃ１に当止される位置決めストッパー部４を形成しているが、その形状は限定されるものではなく、例えば、図４（ｃ）で示すように、弾性脚部２の基端の一部を外方に切り起こして位置決めストッパー部４を形成し、この切り起した位置決めストッパー部４が排水口部Ｃ１に当止されるものでも構わない。
【００３４】
このような位置決めストッパー部４を形成すれば、弾性脚部２を排水口Ｃの排水口部Ｃ１に挿入するだけで、排水口部Ｃ１と化粧蓋体１の間に排水空間を形成し、排水をスムーズに行うことができる。
【００３５】
図４（ａ）、（ｂ）は、前述の通り、弾性脚部２の一部を外方に向けて突出させた押圧部３の他の実施例を示したものであり、図４（ａ）では、弾性脚部２の先端を外方に折り曲げて形成した押圧部３を示し、図４（ｂ）では、弾性脚部２の一部を外方に切り起して形成した押圧部３を各々示したものである。
【００３６】
図４（ｃ）は、弾性脚部２の押圧部３の外面には、シリコン樹脂・ゴム材等の粘着材を設け、この粘着材５を介して、弾性脚部３が排水口部Ｃ１に嵌着されることを特徴にしている。
【００３７】
図４（ｃ）では、その一例を示したものであり、図１〜図４（ａ）、（ｂ）に示した押圧部３の外面に、粘着材５を設けることも可能である。
【００３８】
このような粘着材５は、排水口Ｃの内壁が、合成樹脂製管のように滑面処理されている場合に有効であり、押圧部３の弾性力に加えて、粘着材５の粘着力が協働し、弾性脚部２を排水口部Ｃ１に対して更に確実に取り付けできる。
【図面の簡単な説明】
【００３９】
【図１】本発明に係る排水口用化粧具Ａの一実施例を示す使用状態の斜視図である。
【図２】図１で示された排水口用化粧具Ａの取り付け状態を概略した縦断面図である。
【図３】（ａ）、（ｂ）は、本発明に係る排水口用化粧具Ａの他の実施例の取り付け状態を概略した縦断面図であり、図３（ａ）は、押圧部を複数形成したもの、図３（ｂ）は、位置決めストッパー部を形成したものを各々例示している。
【図４】（ａ）〜（ｃ）は、本発明に係る排水口用化粧具Ａの他の実施例の取り付け状態を概略した縦断面図であり、図４（ａ）は、弾性脚部の先端を外方に折り曲げて形成した押圧部を示し、図４（ｂ）は、弾性脚部の一部を外方に切り起して形成した押圧部を各々示したものである。図４（ｃ）は、押圧部の外面に粘着材を設けた一例を示したものである。
【符号の説明】
【００４０】
Ａ      排水口用化粧具
Ｂ      擁壁・屋上等
Ｃ      排水口
Ｃ１    排水口部
１      化粧蓋体
２      弾性脚部
３      押圧部
４      位置決めストッパー部
５      粘着材
【図１】
2007138541.tif 000003
【図２】
2007138541.tif 000004
【図３】
2007138541.tif 000005
【図４】
2007138541.tif 000006